(57)【要約】      （修正有）【課題】工業用インクジェットプリンタに好適な粘度を有し、保存安定性に優れた水系インク組成物の提供。【解決手段】酸性染料、及び直接染料から選択される少なくとも１種類の染料、重量平均分子量が２３００以上、好ましくは２３００〜１００００であるジグリセリンのアルキレンオキサイド付加物、好ましくはジグリセリンのエチレンオキサイド又はプロピレンオキサイド付加物を含有する水性インク組成物。【選択図】なし【特許請求の範囲】
【請求項１】
酸性染料、及び直接染料から選択される少なくとも１種類の染料、下記式（１）で表される重量平均分子量が２３００以上の化合物を含有する水性インク組成物。
【化１】
2016216682.tif 000005
［式中、
Ｘ１、Ｘ２、Ｘ３、及びＸ４はそれぞれ独立に水素原子又はアルキル基を表し、
ｊ、ｋ、ｍ、及びｎは総和で４０より大きい数を表す。］。
【請求項２】
前記式（１）で表される化合物の重量平均分子量が２３００〜１００００である、請求項１に記載のインク組成物
【請求項３】
式（１）におけるＸ１、Ｘ２、Ｘ３及びＸ４が水素原子又はメチル基である請求項１に記載のインク組成物。
【請求項４】
式（１）におけるＸ１、Ｘ２、Ｘ３及びＸ４の全てが水素原子又はメチル基である請求項１又は３に記載のインク組成物。
【請求項５】
さらにエチレングリコールを含有する請求項１〜４のいずれか一項に記載のインク組成物。
【請求項６】
インク組成物の総質量に対して、エチレングリコールの含有量が５〜３５質量％である請求項５に記載のインク組成物。
【請求項７】
２５℃におけるインク組成物の粘度が３〜２０ｍＰａ・ｓである請求項１〜６のいずれか一項に記載のインク組成物。
【請求項８】
インク組成物の粘度が８〜２０ｍＰａ・ｓである請求項７に記載のインク組成物。
【発明の詳細な説明】
【技術分野】
【０００１】
本発明は、水系のインク組成物に関する。
【背景技術】
【０００２】
水系のインクを使用するインクジェットプリンタ、特に工業用インクジェットプリンタにおいては、しばらくインクを吐出していないノズルにプリントデータを送ると、そのノズルにおける吐出の遅れ、乱れ、又は不吐出などの不具合が生じることが多い。例えば、シリアルプリンタはインクジェットヘッドを載せたキャリッジを往復させながらプリントを行う。しかし、プリントデザインに応じて、プリント中であってもほとんど吐出を行わないノズルが存在する。そのようなノズルは、上記の不具合の原因となり、その解消が極めて大きな課題の１つとなっている。
この課題の解消方法の１つとして、インクの粘度を特定の範囲に調整する方法が挙げられる。インクの粘度調整剤としては、各種の化合物が知られている。しかしながら、比較的に高粘度である工業用インクジェットプリンタに適する粘度を有し、且つ、上記の不具合を解消し得る水系インクは、未だ見出されていない。
【０００３】
特許文献１には、特定の粘度を有するインクジェットインクが開示されている。
特許文献２には吐出性が良好な酸性染料インク組成物が開示されている。
特許文献３には、インクの温度変化に対応する吐出安定性及び周波数応答性が向上したインクジェット記録用インクが開示されている。
特許文献４には、特定の平均分子量を有する化合物を含有するポリアミド系繊維染色用の水性インク組成物が開示されている。
【先行技術文献】
【特許文献】
【０００４】
【特許文献１】特表２００５−５２００１５号公報
【特許文献２】特開２０００−３２７９７６号公報
【特許文献３】特開平１０−５３７３９号公報
【特許文献４】国際公開第２０１０／１０９８６７号パンフレット
【発明の概要】
【発明が解決しようとする課題】
【０００５】
本発明は、工業用インクジェットプリンタに好適な粘度を有し、保存安定性に優れた水系インク組成物の提供を課題とする。
【課題を解決するための手段】
【０００６】
本発明者らは前記したような課題を解決すべく鋭意研究を重ねた結果、酸性染料、及び直接染料から選択される少なくとも１種類の染料、及び下記式（１）で表される特定の化合物を含有する水系インク組成物が、上記課題を解決することを見出し、本発明を完成させたものである。即ち本発明は、以下の１）〜８）に関する。
１）
酸性染料、及び直接染料から選択される少なくとも１種類の染料、下記式（１）で表される重量平均分子量が２３００以上の化合物を含有する水性インク組成物。
【０００７】
【化１】
2016216682.tif 000002
【０００８】
［式中、
Ｘ１、Ｘ２、Ｘ３、及びＸ４はそれぞれ独立に水素原子又はアルキル基を表し、
ｊ、ｋ、ｍ、及びｎは総和で４０より大きい数を表す。］。
２）
前記式（１）で表される化合物の重量平均分子量が２３００〜１００００である、前記１）に記載のインク組成物
３）
式（１）におけるＸ１、Ｘ２、Ｘ３及びＸ４が水素原子又はメチル基である前記１）に記載のインク組成物。
４）
式（１）におけるＸ１、Ｘ２、Ｘ３及びＸ４の全てが水素原子又はメチル基である前記１）又は３）に記載のインク組成物。
５）
さらにエチレングリコールを含有する前記１）〜４）のいずれか一項に記載のインク組成物。
６）
インク組成物の総質量に対して、エチレングリコールの含有量が５〜３５質量％である前記５）に記載のインク組成物。
７）
２５℃におけるインク組成物の粘度が３〜２０ｍＰａ・ｓである前記１）〜６）のいずれか一項に記載のインク組成物。
８）
インク組成物の粘度が８〜２０ｍＰａ・ｓである前記７）に記載のインク組成物。
【発明の効果】
【０００９】
本発明により、工業用インクジェットプリンタに好適な粘度を有し、保存安定性に優れた水系インク組成物を提供することができた。
【発明を実施するための形態】
【００１０】
本明細書においては、特に断りの無い限り「％」及び「部」等は、いずれも質量基準で記載する。
前記インク組成物は、酸性染料、及び直接染料から選択される少なくとも１種類の染料を含有する。
フルカラープリントをするときは、イエロー、オレンジ、ブラウン、レッド、バイオレット、ブルー、グリーン、及びブラック等の各種のインク組成物を調製し、これらをインクセットとして用いることができる。
各種のインク組成物の色相を微調整する目的；及び、ブラックインク組成物を調製する目的；等により、インク組成物は複数の染料を含有することができる。複数の染料を含有するとき、その数は特に制限されない。染料の数の目安としては通常１〜７種類、好ましくは１〜５種類である。
【００１１】
酸性染料としては、例えばＣ．Ｉ．Ａｃｉｄ染料が挙げられる。その具体例としては、例えばＣ．Ｉ．Ａｃｉｄ  Ｙｅｌｌｏｗ  １、３、１１、１７、１８、１９、２３、２５、３６、３８、４０、４０：１、４２、４４、４９、５９、５９：１、６１、６５、７２、７３、７９、９９、１０４、１１０、１５９、１６９、１７６、１８４、１９３、２００、２０４、２０７、２１５、２１９、２１９：１、２２０、２３０、２３２、２３５、２４１、２４２、２４６等のイエロー；Ｃ．Ｉ．  Ａｃｉｄ  Ｏｒａｎｇｅ  ３、７、８、１０、１９、２４、５１、５６、６７、７４、８０、８６、８７、８８、８９、９４、９５、１０７、１０８、１１６、１２２、１２７、１４０、１４２、１４４、１４９、１５２、１５６、１６２、１６６、１６８等のオレンジ；Ｃ．Ｉ．Ａｃｉｄ  Ｂｒｏｗｎ  ２、４、１３、１４、１９、２８、４４、１２３、２２４、２２６、２２７、２４８、２８２、２８３、２８９、２９４、２９７、２９８、３０１、３５５、３５７、４１３等のブラウン；Ｃ．Ｉ．Ａｃｉｄ  Ｒｅｄ  １、６、８、９、１３、１８、２７、３５、３７、５２、５４、５７、７３、８２、８８、９７、９７：１、１０６、１１１、１１４、１１８、１１９、１２７、１３１、１３８、１４３、１４３：１、１４５、１５１、１８３、１９５、１９８、２１１、２１５、２１７、２２５、２２６、２４９、２５１、２５４、２５６、２５７、２６０、２６１、２６５、２６６、２７４、２７６、２７７、２８９、２９６、２９９、３１５、３１８、３３６、３３７、３５７、３５９、３６１、３６２、３６４、３６６、３９９、４０７、４１５等のレッド；Ｃ．Ｉ．Ａｃｉｄ  Ｖｉｏｌｅｔ  １７、１９、２１、４２、４３、４７、４８、４９、５４、６６、７８、９０、９７、１０２、１０９、１２６等のバイオレット；Ｃ．Ｉ．Ａｃｉｄ  Ｂｌｕｅ  １、７、９、１５、２３、２５、４０、６１：１、６２、７２、７４、８０、８３、９０、９２、１０３、１０４、１１２、１１３、１１４、１２０、１２７、１２７：１、１２８、１２９、１３８、１４０、１４２、１５６、１５８、１７１、１８２、１８５、１９３、１９９、２０１、２０３、２０４、２０５、２０７、２０９、２２０、２２１、２２４、２２５、２２９、２３０、２３９、２４９、２５８、２６０、２６４、２７７：１、２７８、２７９、２８０、２８４、２９０、２９６、２９８、３００、３１７、３２４、３３３、３３５、３３８、３４２、３５０等のブルー；Ｃ．Ｉ．Ａｃｉｄ  Ｇｒｅｅｎ  ９、１２、１６、１９、２０、２５、２７、２８、４０、４３、５６、７３、８１、８４、１０４、１０８、１０９等のグリーン；Ｃ．Ｉ．Ａｃｉｄ  Ｂｌａｃｋ  １、２、３、２４、２４：１、２６、３１、５０、５２、５２：１、５８、６０、６３、１０７、１０９、１１２、１１９、１３２、１４０、１５５、１７２、１８７、１８８、１９４、２０７、２２２等のブラック；等の各色の染料が挙げられる。
【００１２】
直接染料としてはＣ．Ｉ．Ｄｉｒｅｃｔ染料が挙げられる。その具体例としては、例えば、Ｃ．Ｉ．  Ｄｉｒｅｃｔ  Ｙｅｌｌｏｗ  ８、１１、１２、２１、２８、３３、３９、４４、４９、５０、８５、８６、８７、８８、８９、９８、１００、１１０、１４４、１４６等のイエロー；
Ｃ．Ｉ．  Ｄｉｒｅｃｔ  Ｏｒａｎｇｅ１７、２６、３９、１０２等のオレンジ；
Ｃ．Ｉ．Ｄｉｒｅｃｔ  Ｒｅｄ２、４、６、９、１７、２３、２６、２８、３１、３９、５４、５５、５７、６２、６３、６４、６５、６８、７２、７５、７６、７９、８０、８１、８３、８３：１、８４、８９、９２、９５、９９、１１１、１４１、１７３、１８０、１８４、２０７、２１１、２１２、２１４、２１８、２２１、２２３、２２４、２２５、２２６、２２７、２３２、２３３、２４０、２４１、２４２、２４３、２４７等のレッド；
Ｃ．Ｉ．Ｄｉｒｅｃｔ  Ｖｉｏｌｅｔ  ７、９、４７、４８、５１、６６、９０、９３、９４、９５、９８、１００、１０１等のバイオレット；
Ｃ．Ｉ．Ｄｉｒｅｃｔ  Ｂｌａｃｋ  １７、１９、２２、３１、３２、５１、６２、７１、７４、１１２、１１３、１５４、１６８、１９５等のブラック；
Ｃ．Ｉ．Ｄｉｒｅｃｔ  Ｂｌｕｅ  １、１５、２２、２５、４１、７６、７７、８０、８６、８７、９０、９８、１０６、１０８、１２０、１５８、１６３、１６８、１９９、２００、２０１、２０２、２２６等のブルー；各色の染料挙げられる。
【００１３】
染料の総含有量は、インク組成物の総質量に対して通常０．５〜３５％、好ましくは１〜２０％、より好ましくは１〜１５％、さらに好ましくは１〜１０％である。
【００１４】
上記の染料は、粉末状、塊状、乾燥状態、ウエットケーキ等の様々な形態の染料を使用することができる。市販の染料には工業染色用粉末、捺染用液状品、インクジェット捺染用等の各種の品質があり、製造方法、純度等がそれぞれ異なる。保存安定性及びインクジェットプリンタからの吐出精度への悪影響を少なくするため、インク組成物が含有する染料は、できるだけ不純物の少ない染料を使用するのが好ましい。
一般に、市販品の染料には、塩化ナトリウム等の無機塩が混入していることが多い。また、特に精製操作を行わない水等は、カルシウムイオン、マグネシウムイオン等の金属イオンを含む。このような染料や水をインク組成物の調製に使用すると、それらの無機塩や金属イオンが混入する。以下、本明細書においては、上記の無機塩及び金属イオンを含めて、「無機不純物」という。これらの無機不純物は、前記の悪影響を与えるだけでなく、インクジェットヘッドの腐食・磨耗・ノズル詰りの原因ともなる。
これらの無機不純物を除去する方法としては、限外濾過法、逆浸透膜法、イオン交換法等の公知の方法が挙げられる。インク組成物の総量中に対して、無機不純物の総含有量は通常１％以下、好ましくは０．１％以下、より好ましくは０．０１％以下である。下限は小さい方が好ましく、検出機器の検出限界以下、すなわち０％に近づけるのが好ましい。
【００１５】
上記式（１）で表される化合物中、Ｘ１、Ｘ２、Ｘ３、及びＸ４（以下、「Ｘ１〜Ｘ４」ということがある。）におけるアルキル基としては、直鎖、分岐鎖又は環状アルキル基が挙げられ、直鎖又は分岐鎖が好ましく、直鎖がより好ましい。その炭素数の範囲としては通常Ｃ１−Ｃ６、好ましくはＣ１−Ｃ４、より好ましくはＣ１−Ｃ３、さらに好ましくはメチル基が挙げられる。
Ｘ１〜Ｘ４としては、それぞれ独立に水素原子又はメチル基が好ましく、全てが水素原子又はメチル基がより好ましい。
【００１６】
式（１）で表される化合物は、ジグリセリンに酸化アルキレン、好ましくは酸化プロピレン又は酸化エチレンを付加重合して得られる化合物であり、ｋ、ｊ、ｍ及びｎ（以下「ｋ〜ｎ」ということがある。）は、付加重合の平均値である。その重量平均分子量は通常２３００以上、好ましくは２３００〜１０００００、より好ましくは２５００〜７０００、さらに好ましくは２５００〜５０００である。
式（１）で表される化合物が酸化プロピレンを付加重合して得られる化合物、すなわち式（１）におけるＸ１〜Ｘ４がいずれもメチル基の化合物であるとき、ｋ〜ｎは、その総和でおよそ３７以上１６９以下を表す。
また、式（１）で表される化合物が酸化エチレンを付加重合して得られる化合物、すなわち式（１）におけるＸ１〜Ｘ４がいずれも水素原子の化合物であるとき、ｋ〜ｎは、その総和でおよそ４９以上２２３以下を表す。
ｋ〜ｎのそれぞれの値は、これらが平均値であるため特定することは困難であるが、同じ程度の値であることが好ましい。例えば、ｋ〜ｎが総和で６０のときは、ｋ〜ｎのそれぞれが１５程度であるのが好ましい。
【００１７】
前記式（１）で表される化合物は合成により、又は市販品として入手することができる。
市販品の具体例としては、例えば、いずれも阪本薬品工業株式会社製の商品名ＳＣ−Ｅ３０００［式（１）においてｋ＋ｊ＋ｍ＋ｎ＝６０、重量平均分子量３０００の化合物］、ＳＣ−Ｅ４５００［同様にｋ＋ｊ＋ｍ＋ｎ＝９０、平均分子量４５００の化合物］等が挙げられる。
なお、式（１）で表される化合物の重量平均分子量は、公知のＧＰＣ（ゲル浸透クロマトグラフィー）法で測定することが可能である。
【００１８】
前記式（１）で表される化合物の含有量は、インク組成物の総質量に対して通常５〜５０％、好ましくは５〜４０％であり、より好ましくは５〜３０％であり、さらに好ましくは５〜２５％である。
【００１９】
前記インク組成物は、さらにエチレングリコールを含有するのが好ましい。エチレングリコールは粘度調整剤、乾燥防止剤、インクジェットヘッドのノズルにおける目詰まり防止剤等の機能を有する。
エチレングリコールの含有量は、インク組成物の総質量に対して通常５〜３５％、好ましくは７〜３５％、より好ましくは１０〜３５％、さらに好ましくは１０〜３０％である。
【００２０】
前記インク組成物は、工業用インクジェットヘッドが搭載されたプリンタにおける高速での吐出応答性を改善することを目的とし、２５℃における粘度が通常３〜２０ｍＰａ・ｓ、好ましくは８〜２０ｍＰａ・ｓに調整するのがよい。粘度の測定にはＥ型粘度計を用いることができる。
また、インク組成物の表面張力は、プレート法にて測定したときに通常２０〜４０ｍＮ／ｍに調整するのが好ましい。さらに、プリンタのインクの吐出量、応答速度、インク液滴の飛行特性、及びインクジェットヘッドに固有の特性等を考慮し、プリンタごとに適切な物性値に微調整するのが好ましい。
【００２１】
前記インク組成物は、前記の各成分を含有し、残部が水のインク組成物である。また、前記インク組成物は、前記以外の成分として、水溶性有機溶剤、及び各種のインク調製剤を必要に応じて含有することができる。
【００２２】
水溶性有機溶剤としては、多価アルコール類、及びピロリドン類等を挙げることができる。
多価アルコール類としては、例えばアルコール性水酸基を２又は３個有するＣ３−Ｃ６多価アルコール、及び、繰り返し単位が４以上で、分子量２０，０００程度以下のポリＣ２−Ｃ３アルキレングリコール、好ましくは液状のポリアルキレングリコール等が挙げられる。その具体例としては、グリセリン、１，３−ペンタンジオール、１，５−ペンタンジオール等のアルコール性水酸基を２又は３個有するＣ３−Ｃ６多価アルコール；ジエチレングリコール、トリエチレングリコール、プロピレングリコール、ポリエチレングリコール等のジ又はトリＣ２−Ｃ３アルキレングリコール；ポリプロピレングリコール等のポリＣ２−Ｃ３アルキレングリコール；等が挙げられる。
ピロリドン類としては、２−ピロリドン、Ｎ−メチル−２−ピロリドン等が挙げられる。
これらの水溶性有機溶剤は、単独、又は併用することができる。
これらの水溶性有機溶剤の総含有量は、インク組成物の総質量に対して通常０〜４０％、好ましくは１〜３０％、より好ましくは３〜２０％である。
【００２３】
インク調製剤としては、界面活性剤、防腐防黴剤、ｐＨ調整剤等が挙げられる。インク調製剤の含有量は合計で、インク組成物の総質量に対して通常０〜１０％程度であり、好ましくは０．０５〜５％程度である。
【００２４】
界面活性剤としては、アニオン、カチオン、両性、及びノニオンの各界面活性剤が挙げられる。
アニオン界面活性剤としてはアルキルスルホカルボン酸塩、α−オレフィンスルホン酸塩、ポリオキシエチレンアルキルエーテル酢酸塩、Ｎ−アシルアミノ酸又はその塩、Ｎ−アシルメチルタウリン塩、アルキル硫酸塩ポリオキシアルキルエーテル硫酸塩、アルキル硫酸塩ポリオキシエチレンアルキルエーテル燐酸塩、ロジン酸石鹸、ヒマシ油硫酸エステル塩、ラウリルアルコール硫酸エステル塩、アルキルフェノール型燐酸エステル、アルキル型燐酸エステル、アルキルアリールスルホン酸塩、ジエチルスルホ琥珀酸塩、ジエチルヘキルシルスルホ琥珀酸塩、ジオクチルスルホ琥珀酸塩等が挙げられる。
カチオン界面活性剤としては２−ビニルピリジン誘導体、ポリ４−ビニルピリジン誘導体等がある。
両性界面活性剤としてはラウリルジメチルアミノ酢酸ベタイン、２−アルキル−Ｎ−カルボキシメチル−Ｎ−ヒドロキシエチルイミダゾリニウムベタイン、ヤシ油脂肪酸アミドプロピルジメチルアミノ酢酸ベタイン、ポリオクチルポリアミノエチルグリシン、イミダゾリン誘導体等がある。
ノニオン界面活性剤としては、ポリオキシエチレンノニルフェニルエーテル、ポリオキシエチレンオクチルフェニルエーテル、ポリオキシエチレンドデシルフェニルエーテル、ポリオキシエチレオクチルフェニルエーテル、ポリオキシエチレンオレイルエーテル、ポリオキシエチレンラウリルエーテル、ポリオキシエチレンアルキルエーテル等のエーテル系；ポリオキシエチレンオレイン酸エステル、ポリオキシエチレンジステアリン酸エステル、ソルビタンラウレート、ソルビタンモノステアレート、ソルビタンモノオレエート、ソルビタンセスキオレエート、ポリオキシエチレンモノオレエート、ポリオキシエチレンステアレート等のエステル系；２，４，７，９−テトラメチル−５−デシン−４，７−ジオール、３，６−ジメチル−４−オクチン−３，６−ジオール、３，５−ジメチル−１−ヘキシン−３−オール等のアセチレングリコール（アルコール）系；及び、日信化学株式会社製の商品名サーフィノール１０４、８２、４４０、４６５、オルフィンＳＴＧ；等が挙げられる。これらの中ではサーフィノールシリーズが好ましい。
【００２５】
防腐防黴剤としては例えばデヒドロ酢酸ナトリウム、安息香酸ナトリウム、ソジウムピリジンチオン−１−オキサイド、ジンクピリジンチオン−１−オキサイド、１，２−ベンズイソチアゾリン−３−オン、１−ベンズイソチアゾリン−３−オンのアミン塩、アーチケミカルズ社製の商品名プロキセルＧＸＬ等が挙げられる。
【００２６】
ｐＨ調整剤としては、例えば、水酸化ナトリウム、水酸化カリウム、水酸化リチウム等のアルカリ土類金属の水酸化物；トリエタノールアミン、ジエタノールアミン、ジメチルエタノールアミン、ジエチルエタノールアミン等の３級アミン類、好ましくはヒドロキシ基で置換されても良いモノ、ジ又はトリＣ１−Ｃ４アルキルアミン；等が挙げられる。
【００２７】
前記インク組成物は、染料、上記式（１）で表される化合物、及び、好ましくはエチレングリコールを水に加え、必要に応じて水溶性有機溶剤、及び／又はインク調製剤をさらに加えて攪拌し、固形成分が溶解するまで混合することにより得られる。各成分を加える順番は特に制限されない。
また、インク組成物の調製の際に使用する水は、上記の通り、無機不純物の少ないもの、例えば蒸留水やイオン交換水等を用いるのが好ましい。
なお、前記インク組成物をインクジェットプリントに使用するときは、メンブランフィルタ等を用いてインク組成物を精密濾過し、夾雑物を除いてから使用するのが好ましい。精密濾過を行うときのフィルタの孔径は通常１μｍ〜０．１μｍ、好ましくは０．８μｍ〜０．１μｍである。
【００２８】
前記インク組成物は、各種の用途に使用できる。その一例としては、例えば、筆記、水性印刷、情報記録等に用いることが可能である。それらの中でもインクジェットプリンタ用のインクとして用いることが特に好ましい。
前記インク組成物を用いてインクジェット記録を行う方法としては、該インク組成物の液滴を、記録信号に応じて吐出させて、被記録材に付着させることにより記録を行う方法が挙げられる。
被記録材としては、前記インク組成物により着色され得る物質であればとくに制限されない。そのような物質の中では、例えば紙、フィルム等の記録用メディア；繊維や布（以下「繊維等」ということがある）；皮革；カラーフィルター用基材；等が好ましく挙げられる。
記録用メディアとしては、表面処理されたもの、具体的には紙、合成紙、フィルム等の基材にインク受容層を設けたもの、すなわちインクジェット専用紙・専用フィルム等と呼称されるメディア；及び、インク受容層を特に設けていないメディア、すなわち普通紙、上質紙、及びコート紙等と呼称されるメディア；等が挙げられる。
繊維としてはポリアミド繊維が好ましく、例えば、シルク、ウール等の天然繊維；ナイロン等の合成ポリアミド繊維；及び、これらを含有する混紡繊維；等が挙げられる。また、布としては、これらの繊維を含有する構造物が好ましく挙げられる。
被記録材として繊維等を使用するときは、インク組成物を付着させる前の繊維等に対して前処理を行うことも好ましい。繊維等の前処理は、１種類以上の糊材、ｐＨ調整剤、及び必要に応じてヒドロトロピー剤を含む水溶液を、インク組成物を付与する前の繊維等に含浸させる方法等が挙げられる。
この前処理工程は必須ではないが、繊維等へプリントするときに、染料のにじみを防止する目的で行われる。前処理の例としては、例えば、特許文献４に開示された前処理工程等が挙げられる。
【００２９】
本発明のインク組成物は、高粘度インクを必要とする工業用インクジェットヘッドが搭載されたプリンタでの、周波数値に係らない吐出性能を有し、放置後吐出も極めて良好である。従って、本発明のインク組成物及びこれを用いる捺染方法は、ポリアミド繊維の染色用途に好適である。
【実施例】
【００３０】
以下実施例により本発明をさらに具体的に説明するが、これらの実施例により本発明が限定されるものではない。
【００３１】
以下の本発明では上記式（１）で表される化合物として、いずれも市販品として阪本薬品工業株式会社から入手できる、以下２つの化合物を使用した。
１）ＳＣ−Ｅ３０００：平均分子量３０００。
２）ＳＣ−Ｅ４５００：平均分子量４５００。
【００３２】
［実施例１及び２］
下記表１に記載の各成分を混合し、固形分が溶解するまでおおよそ１時間攪拌することにより、それぞれのインク組成物を得た後、０．４５μmのメンブランフィルタ（商品名、セルロースアセテート系濾紙、アドバンテック社製）で濾過することにより、評価試験用のインク組成物を調製した。
【００３３】
【表１】
2016216682.tif 000003
【００３４】
［インクの評価］
下記（Ａ）及び（Ｂ）の２つの評価試験を実施した試験結果は下記表２に示した。
（Ａ）粘度試験
２５℃における各インク組成物の粘度を、Ｅ型粘度計を用いて測定した。下記表２中の数値の単位はｍＰ・ｓである。
（Ｂ）保存安定性試験
各インク組成物を２５℃で約１時間撹拌した後、一週間放置し、固形分の沈降の有無、及びインク組成物の状態を目視にて、下記３段階の評価基準で評価した。
［評価基準］
Ａ：固形分の沈降、及びインク組成物のゲル化は共に確認できない。
Ｂ：固形分の沈降は僅かにあるが、インク組成物のゲル化は確認できない。
Ｃ：固形分の沈降が明らかに生じているか、又はインク組成物のゲル化が確認された。
【００３５】
【表２】
2016216682.tif 000004
【００３６】
表２より明らかなように、本発明のインク組成物はいずれも工業用インクジェットヘッドに適した粘度に調整でき、且つ保存安定性に優れることが確認できた。
【産業上の利用可能性】
【００３７】
本発明のインク組成物は各種の記録用、、特に工業用インクジェットヘッドを使用するインクジェットプリント用のインクとして好適に用いることができる。